【手続補正書】
【提出日】平成21年5月15日(2009.5.15)
【手続補正１】
【補正対象書類名】特許請求の範囲
【補正対象項目名】全文
【補正方法】変更
【補正の内容】
【特許請求の範囲】
【請求項１】
ハンドオーバーを実行する方法において、
第１無線ネットワークコントローラから第２無線ネットワークコントローラへ要求メッセージ(200,300/400,500)を送信して、ユーザ装置とターゲットセルとの間に無線リンクを確立するステップ(8-30)であって、前記ターゲットセルは、前記第２無線ネットワークコントローラと通信状態にあり、更に、前記第１無線ネットワークコントローラ及び第２無線ネットワークコントローラは、第１無線アクセス技術を利用するものであるステップと、
前記第２無線ネットワークコントローラからの前記要求メッセージに応答して応答メッセージを受信するステップ(8-40)であって、前記応答メッセージは、無線リンクが確立されたかどうかを指示し、更に、前記応答メッセージは、第２無線アクセス技術を利用する隣接セルのパケット交換ハンドオーバー能力に関する情報を含むものであるステップと、
前記隣接セル(1-64)の前記パケット交換ハンドオーバー能力に関する情報を記憶するステップ(8-60)と、
を備えた方法。
【請求項２】
前記隣接セルの前記パケット交換ハンドオーバー能力に関する前記情報が前記応答メッセージに含まれているかどうか決定するステップ(8-50)を更に備えた、請求項１に記載の方法。
【請求項３】
前記隣接セルのパケット交換ハンドオーバー能力に関する前記記憶された情報に基づいて、前記隣接セルがパケット交換ハンドオーバーをサポートするかどうか決定するステップと、
前記隣接セルがパケット交換ハンドオーバーをサポートする場合だけ前記隣接セルに向けてパケット交換ハンドオーバーをトリガーするステップと、
を更に備えた請求項１に記載の方法。
【請求項４】
ハンドオーバーを実行する方法において、
第１無線ネットワークコントローラから要求メッセージ(200,300/400,500)を第２無線ネットワークコントローラで受信して、ユーザ装置とターゲットセルとの間に無線リンクを確立するステップ(9-20)であって、前記ターゲットセルは、前記第２無線ネットワークコントローラと通信状態にあり、更に、前記第１無線ネットワークコントローラ及び第２無線ネットワークコントローラは、第１無線アクセス技術を利用するものであるステップと、
リソースを予約し、前記要求メッセージに与えられたパラメータに基づいて無線リンクを構成するステップ(9-30)と、
ターゲットセル(1-40-8)が、第２無線アクセス技術に属する隣接セル(1-64)を有するかどうか決定するステップ(9-40)と、
前記隣接セルが存在する場合に、前記隣接セルのパケット交換ハンドオーバー能力に関する情報を得るステップと、
前記要求メッセージに応答して前記第１無線ネットワークコントローラへ応答メッセージ(202,302/402,502)を送信するステップであって、前記応答メッセージは、前記隣接セルのパケット交換ハンドオーバー能力に関する前記得られた情報を含むものであるステップと、
を備えた方法。
【請求項５】
パケット交換ハンドオーバー能力に関する前記情報は、ＧＥＲＡＮセル能力情報エレメントのビットを含む、請求項１に記載の方法。
【請求項６】
パケット交換ハンドオーバー能力に関する前記情報は、ＧＥＲＡＮセル能力情報エレメントのビットを含む、請求項４に記載の方法。
【請求項７】
ハンドオーバーを実行するシステムにおいて、
ドリフト無線ネットワークコントローラへ要求メッセージを送信してユーザ装置とターゲットセルとの間に無線リンクを確立するように構成されたサービング無線ネットワークコントローラを備え、前記ターゲットセルは、前記ドリフト無線ネットワークコントローラと通信状態にあり、更に、サービング無線ネットワークコントローラ及びドリフト無線ネットワークコントローラは、第１無線アクセス技術を利用するものであり、
前記ドリフト無線ネットワークコントローラは、前記サービング無線ネットワークコントローラと通信状態にあり、そして
前記サービング無線ネットワークコントローラから要求メッセージを受信し、
前記ターゲットセルの隣接セルのパケット交換ハンドオーバー能力に関する情報を得、前記隣接セルは、第２無線アクセス技術を利用するものであり、
前記要求メッセージに応答して前記サービング無線ネットワークコントローラへ応答メッセージを送信し、この応答メッセージは、隣接セルのパケット交換ハンドオーバー能力に関する情報を含む、
というように構成された、システム。
【請求項８】
前記サービング無線ネットワークコントローラは、更に、
前記応答メッセージを受信し、
前記隣接セルのパケット交換ハンドオーバー能力に関する情報に基づいて、前記隣接セルがパケット交換ハンドオーバーをサポートするかどうか決定し、
前記隣接セルがパケット交換ハンドオーバーをサポートする場合だけ前記隣接セルに向かってパケット交換ハンドオーバーをトリガーする、
というように構成される請求項７に記載の方法。
【請求項９】
無線ネットワークコントローラ(1-22)において、
ユーザ装置(1-10)とターゲットセルとの間に新たな無線リンクを確立するよう判断するための手段を備え、前記ターゲットセルは、第２無線ネットワークコントローラ(1-40-2)と通信状態にあり、更に、
第２無線ネットワークコントローラへ要求メッセージ(200,300/400,500)を送信して、新たな無線リンクを確立する手段(8-30)を備え、この無線ネットワークコントローラ及び第２無線ネットワークコントローラは、第１無線アクセス技術を利用し、更に、
前記第２無線ネットワークコントローラからの前記要求メッセージに応答して応答メッセージを受信する手段(8-40)を備え、前記応答メッセージは、無線リンクが確立されたかどうか指示し、更に、前記応答メッセージは、第２無線アクセス技術を利用する隣接セルのパケット交換ハンドオーバー能力に関する情報を含むものである、無線ネットワークコントローラ。
【請求項１０】
前記隣接セルのパケット交換ハンドオーバー能力に関する前記情報を記憶する手段を更に備えた、請求項９に記載の無線ネットワークコントローラ。
【請求項１１】
前記隣接セルのパケット交換ハンドオーバー能力に関する前記情報に基づいて、前記隣接セルがパケット交換ハンドオーバーをサポートするかどうか決定する手段と、
前記隣接セルがパケット交換ハンドオーバーをサポートする場合に前記隣接セルに向かってパケット交換ハンドオーバーをトリガーする手段と、
を更に備えた請求項９に記載の無線ネットワークコントローラ。
【請求項１２】
前記隣接セルのパケット交換ハンドオーバー能力に関する前記情報は、前記無線ネットワークコントローラと前記第２の無線ネットワークコントローラとの間のＩｕｒインターフェイスを経て情報を転送するのに使用されるＧＥＲＡＮセル能力情報エレメントのビットを含む、請求項９に記載の無線ネットワークコントローラ。
【請求項１３】
無線ネットワークコントローラ(1-40-2)において、
第２無線ネットワークコントローラから要求メッセージ(200,300/400,500)を受信して、ユーザ装置とターゲットセルとの間に無線リンクを確立する手段(9-20)を備え、前記ターゲットセルは、前記無線ネットワークコントローラと通信状態にあり、更に、前記無線ネットワークコントローラ及び第２無線ネットワークコントローラは、第１無線アクセス技術を利用するものであり、更に、
前記要求メッセージに与えられたパラメータに基づいて無線リンクを確立する手段と、
前記ターゲットセル(1-40-8)が、第２無線アクセス技術に属する隣接セル(1-64)を有するかどうか決定する手段と、
前記隣接セルのパケット交換ハンドオーバー能力に関する情報を得る手段と、
前記要求メッセージに応答して前記第１の無線ネットワークコントローラへ応答メッセージ(202,302/402,502)を送信する手段(9-70)と、
を備え、前記応答メッセージは、前記隣接セルのパケット交換ハンドオーバー能力に関する情報を含む、無線ネットワークコントローラ。
【請求項１４】
前記隣接セルのパケット交換ハンドオーバー能力に関する前記情報は、ＧＥＲＡＮセル能力情報エレメントのビットを含む、請求項１３に記載の無線ネットワークコントローラ。
【請求項１５】
ハンドオーバーを実行するシステムにおいて、
サービング無線ネットワークコントローラを備え、これは、
ドリフト無線ネットワークコントローラへ要求メッセージを送信してユーザ装置とターゲットセルとの間に無線リンクを確立する手段を含み、前記ターゲットセルは、前記ドリフト無線ネットワークコントローラと通信状態にあり、更に、サービング無線ネットワークコントローラ及びドリフト無線ネットワークコントローラは、第１無線アクセス技術を利用するものであり、
前記ドリフト無線ネットワークコントローラは、前記サービング無線ネットワークコントローラと通信状態にあり、そして
前記サービング無線ネットワークコントローラから要求メッセージを受信する手段を含み、更に、
前記ターゲットセルの隣接セルのパケット交換ハンドオーバー能力に関する情報を得る手段を含み、前記隣接セルは、第２無線アクセス技術を利用するものであり、更に、
前記要求メッセージに応答して前記サービング無線ネットワークコントローラへ応答メッセージを送信する手段を含み、この応答メッセージは、隣接セルのパケット交換ハンドオーバー能力に関する情報を含むものである、システム。
【請求項１６】
前記サービング無線ネットワークコントローラは、更に、前記隣接セルに向かってパケット交換ハンドオーバーをトリガーする手段を含む、請求項１５に記載のシステム。
【請求項１７】
前記隣接セルのパケット交換ハンドオーバー能力に関する前記情報は、ＧＥＲＡＮセル能力情報エレメントの第３ビットを含み、前記ＧＥＲＡＮセル能力情報エレメントは、１６ビットストリングより成る、請求項１５に記載のデータ構造体。
【請求項１８】
ユーザ装置(1-10)と、第１無線アクセス技術を利用する無線ネットワークコントローラ(1-40)に接続されたターゲットセル(1-40-8)との間に新たな無線リンクを確立するための判断を行なう手段と、
前記無線ネットワークコントローラへ要求メッセージ(200,300/400,500)を送信して、前記新たな無線リンクを確立するための手段(8-30)と、
前記要求メッセージに応答して前記無線ネットワークコントローラから応答メッセージ(202,302/402,502)を受信する手段(8-40)と、
を備え、前記応答メッセージは、新たな無線リンクが確立されたかどうか指示し、そして更に、前記応答メッセージは、第２無線アクセス技術を利用する隣接セルのパケット交換ハンドオーバー能力に関する情報を含むようにした、信号プロセッサ。
【請求項１９】
第１無線ネットワークコントローラから要求メッセージ(200,300/400,500)を第２無線ネットワークコントローラで受信して、ユーザ装置とターゲットセルとの間に無線リンクを確立するための手段(9-20)を備え、前記第１無線ネットワークコントローラ及び第２無線ネットワークコントローラは、第１無線アクセス技術を利用するものであり、更に、
リソースを予約し、前記要求メッセージに与えられたパラメータに基づいて無線リンクを構成する手段(9-30)と、
ターゲットセル(1-40-8)が、第２無線アクセス技術に属する隣接セル(1-64)を有するかどうか決定する手段と、
前記隣接セルのパケット交換ハンドオーバー能力に関する情報が入手できるかどうか決定する手段と、
前記要求メッセージに応答して、前記隣接セルのパケット交換ハンドオーバー能力に関する情報を含む応答メッセージ(202,302/402,502)を送信する手段(9-70)と、
を備えた信号プロセッサ。